(57)【要約】【課題】防災行政無線の戸別受信機のような既存の受信機を利用して屋外自立型で簡易的に設置できる、新規且つ有用な屋外自立型放送拡声装置の提供。【解決手段】地上に立てたポール５に、太陽光パネル２９と、専用アンテナ３３と、スピーカ３５と、受信機等を収納する制御箱７とを取り付けて構成されている。制御箱７には、制御基板や外部拡声増幅器が備えられており、防災行政無線の音声放送を受信機が受信すると、その音声放送をスピーカ出力する。通常は無音待機させるための外部拡声増幅器をＯＮ／ＯＦＦに切り替える機能と、受信機側の音声電圧に対して調整する機能を備えており、受信機が戸別受信機でも防災ラジオでも、また、どこの販売元であっても、聞き取り易い放送が実現されている。【選択図】  図１
2017130774.tif 000002
【特許請求の範囲】
【請求項１】
放送電波を受信すると変換して音声信号を出力する受信機を組み込んで構築される屋外自立型放送拡声装置において、
地上に立てるポールに取り付けられ、太陽光パネルと、前記太陽光パネルで発電された電気を蓄積するバッテリーと、放送電波を受信して前記受信機に送出するアンテナと、外部拡声増幅器と、前記外部拡声増幅器を介して増幅された前記受信機からの音声信号を拡声放送するスピーカと、前記受信機からの音声信号の出力の開始／終了に従って前記外部拡声増幅器をＯＮ／ＯＦＦする制御部と、前記音声信号の電圧を調整することで音量を調整する音量調整部と、前記受信機を収納する筐体とを備え、
前記筐体に収納する受信機の種類に限定されずに、前記バッテリーを電源として放送電波に乗った音声信号を前記スピーカから自動的に拡声放送されることを特徴とする屋外自立型放送拡声装置。
【請求項２】
請求項１に記載した屋外自立型放送拡声装置において、
音量調整部は、音声信号の電圧を固定抵抗で分圧する固定分圧器と、可変抵抗で分圧する可変分圧器と、前記分圧器どうしの間に介装された絶縁トランスとで構成されていることを特徴とする屋外自立型放送拡声装置。
【請求項３】
請求項１または２に記載した屋外自立型放送拡声装置において、
制御部は、音声信号の出力を検知するとＯＮ信号を出力し、出力の終了を検知するとＯＦＦ信号を出力する音声検知機能と、ＯＮ信号を受信すると外部拡声増幅器への電源供給をＯＮし、ＯＦＦ信号を受信すると前記電源供給をＯＦＦする切替機能と、ＯＦＦ信号の前記切替機能への入力タイミングを遅延させる遅延機能とを備えていることを特徴とする屋外自立型放送拡声装置。
【請求項４】
請求項３に記載した屋外自立型放送拡声装置において、
制御部はマイクロコンピュータで構成されていることを特徴とする屋外自立型放送拡声装置。
【請求項５】
請求項１から４のいずれかに記載した屋外自立型放送拡声装置において、
受信機として、戸別受信機または防災ラジオのいずれも任意に選択可能になっていることを特徴とする屋外自立型放送拡声装置。
【請求項６】
請求項１から５のいずれかに記載した屋外自立型放送拡声装置において、
外部拡声増幅器にはハンドマイクも接続されており、前記ハンドマイクから音声が入力されても拡声放送されることを特徴とする屋外自立型放送拡声装置。
【発明の詳細な説明】
【技術分野】
【０００１】
本発明は屋外放送拡声装置に係り、特に簡易な構成で所定の放送を流すことができる屋外自立型放送拡声装置に関するものである。
【背景技術】
【０００２】
気象庁が全国瞬時警報システム（通称：Ｊ−ＡＬＥＲＴ）を利用してテレビで緊急警報速報を流しており、自治体の主要箇所にも同システムから緊急警報が伝達されるので、自治体の担当者はこの緊急警報が伝達されると、防災行政無線設備を利用してその情報を住民に流している。
現在日本は地震活動期に入ったと言われるほど地震が多発しており、地震や津波に対する情報の伝達の重要性は以前とは比較できないほど高まっている。
而して、防災行政無線の屋外拡声支局を必要な箇所に設置しようとしても、その設置は配線工事が面倒なことも有って大掛かりとなるので費用が嵩む上に、電源の確保の点からも、設置場所の確保が難しい地区も多数ある。
【０００３】
このような地区では、自治体が住民に戸別に受信機を貸与して室内に置いてもらうよう促しているが、その貸与は全額無料になるのは珍しく、住民には金銭的負担も掛かる場合が多い。また、自治体の防災行政無線の受信機には、緊急放送だけでなく、行方不明者のお知らせや、夕方に児童の帰宅を促すものなど種々のものが含まれるので、室内にいるときに強制的にそれらの放送まで聞かされるのは煩わしいとして、一旦室内に置いても、その電源を切ってしまい、肝心の防災放送を聞き逃してしまう場合もある。
最近は、戸別受信機に代えて防災ラジオの利用も提案されており、この防災ラジオを利用すれば、所謂通常のラジオ放送（ＡＭ／ＦＭ放送）を聴くことができるので、利便性が高くなっているが、それでも、強制的な放送を煩わしく思う人も多い。
また、上記した戸別受信機や防災ラジオは屋内用であり、それだけに頼ると、屋外にいる住民への防災放送の報知という面が疎かになることは否めない。
【発明の概要】
【発明が解決しようとする課題】
【０００４】
本発明は上記従来の問題点に着目して為されたものであり、屋外自立型で、しかも受信機として、戸別受信機や防災ラジオ等の屋内用受信機を活用することで簡易的に構築できる、新規且つ有用な屋外自立型放送拡声装置を提供することを、その目的とする。
【課題を解決するための手段】
【０００５】
本発明は上記課題を解決するためになされたものであり、請求項１の発明は、放送電波を受信すると変換して音声信号を出力する受信機を組み込んで構築される屋外自立型放送拡声装置において、地上に立てるポールに取り付けられ、太陽光パネルと、前記太陽光パネルで発電された電気を蓄積するバッテリーと、放送電波を受信して前記受信機に送出するアンテナと、外部拡声増幅器と、前記外部拡声増幅器を介して増幅された前記受信機からの音声信号を拡声放送するスピーカと、前記受信機からの音声信号の出力の開始／終了に従って前記外部拡声増幅器をＯＮ／ＯＦＦする制御部と、前記音声信号の電圧を調整することで音量を調整する音量調整部と、前記受信機を収納する筐体とを備え、前記筐体に収納する受信機の種類に限定されずに、前記バッテリーを電源として放送電波に乗った音声信号を前記スピーカから自動的に拡声放送されることを特徴とする屋外自立型放送拡声装置である。
【０００６】
請求項２の発明は、請求項１に記載した屋外自立型放送拡声装置において、音量調整部は、音声信号の電圧を固定抵抗で分圧する固定分圧器と、可変抵抗で分圧する可変分圧器と、前記分圧器どうしの間に介装された絶縁トランスとで構成されていることを特徴とする屋外自立型放送拡声装置である。
【０００７】
請求項３の発明は、請求項１または２に記載した屋外自立型放送拡声装置において、制御部は、音声信号の出力を検知するとＯＮ信号を出力し、出力の終了を検知するとＯＦＦ信号を出力する音声検知機能と、ＯＮ信号を受信すると外部拡声増幅器への電源供給をＯＮし、ＯＦＦ信号を受信すると前記電源供給をＯＦＦする切替機能と、ＯＦＦ信号の前記切替機能への入力タイミングを遅延させる遅延機能とを備えていることを特徴とする屋外自立型放送拡声装置である。
【０００８】
請求項４の発明は、請求項３に記載した屋外自立型放送拡声装置において、制御部はマイクロコンピュータで構成されていることを特徴とする屋外自立型放送拡声装置である。
【０００９】
請求項５の発明は、請求項１から４のいずれかに記載した屋外自立型放送拡声装置において、受信機として、戸別受信機または防災ラジオのいずれも任意に選択可能になっていることを特徴とする屋外自立型放送拡声装置である。
【００１０】
請求項６の発明は、請求項１から５のいずれかに記載した屋外自立型放送拡声装置において、外部拡声増幅器にはハンドマイクも接続されており、前記ハンドマイクから音声が入力されても拡声放送されることを特徴とする屋外自立型放送拡声装置である。
【発明の効果】
【００１１】
本発明の屋外自立型放送拡声装置によれば、屋内用受信機を活用することで屋外に自立型で簡易的に構築できる。
戸別受信機は、それぞれ複数のメーカーが製造しており、大きさはもとより、スピーカ出力端子の仕様（インピーダンス）の違いにより、音声電圧（＝出力電圧）も種々となっている。これは、防災ラジオについても言えることである。しかも、戸別受信機のスピーカ出力端子と防災ラジオのイヤホンジャックとでは、インピーダンスも大きく異なる。一方、それらの違いに対応してオーダーメイドで、屋内用に拡声装置を構築するのでは、「簡易的に構築」することにはならない。
それに対して、本発明の屋外自立型放送拡声装置によれば、上記した受信機側の事情に左右されずに一律な構成になっており、その上で、聞き取りやすい放送を実現できている。
【図面の簡単な説明】
【００１２】
【図１】本発明の実施の形態に係る屋外自立型放送拡声装置の正面図と側面図である。
【図２】図１の制御箱の扉を閉じた状態を示す図である。
【図３】図２の制御箱の扉を開けた状態を示す図である。
【図４】図１の屋外自立型放送拡声装置のバッテリー機能部に関する電気的構成図である。
【図５】図１の屋外自立型放送拡声装置の放送機能部に関する電気的構成図である。
【図６】図５の音声検知部の電気的構成図である。
【図７】図５の音量調整部の電気的構成図である。
【発明を実施するための形態】
【００１３】
本発明の実施の形態に係る屋外自立型放送拡声装置１について、図面にしたがって説明する。
図１に示すように、この屋外自立型放送拡声装置１では、ベース部３にポール５が一体的に立設されており、設置地面に基礎工事をした後にアンカーボルトで固定して、ポール５を地上に立てて設置するようになっている。従って、設置場所を変えることも容易になっている。このポール５はかなり高く、その高さは７ｍにもなっている。
【００１４】
ポール５の地面寄りには、制御箱（筐体）７が取り付けられている。この制御箱７は、図２、図３に示すように、ポール５への取付け側となる収容部９とその前開口側を閉じる扉１１とで構成されている。
図２に示すように、扉１１の表面にはドアハンドル１３が設けられ、鍵穴１５に鍵を差し込んで施錠するようになっている。
【００１５】
図３に示すように、扉１１を開けると、その裏面には、上記したドアハンドル１３と連係動作するロック機構１７が取り付けられている。また、収容部９内には、蓄電用バッテリー１９が設置されている。この蓄電用バッテリー１９にはチャージコントローラ２１（図４）が内蔵されている。蓄電用バッテリー１９の上側には後述する検知・制御系の部品を納めたケース２３が設置されている。また、ケース２３の右側には外部拡声増幅器（ＡＭＰ）２５が設置されている。また、ハンドマイク２７が接続されている。
【００１６】
図１に示すように、ポール５の上側には、太陽光パネル２９が取り付けられている。この太陽光パネル２９の上には鳥よけ３１が固定されている。
太陽光パネル２９の上側には、専用アンテナ３３が取り付けられている。なお、専用の場合には、上下方向の長さが２．５ｍ程度になっているが、上記したように、ポール５が７ｍと高いので、専用アンテナ３３のアンテナ棒の下端に人が誤って触れて怪我をさせたりするようなことはない。専用アンテナ３３の利用により、受信感度がアップされている。
ポール５の上端部には複数のスピーカ３５が取り付けられている。
図示省略するが、太陽光パネル２９等を繋いだケーブルは制御箱７内に引き込まれて、そこに収められた部品と電気的に接続されている。
【００１７】
屋外自立型放送拡声装置１は、上記したような外観構成を有しており、耐風速６０ｍ／ｓの機器仕様になっている。
この屋外自立型放送拡声装置１は、外側が確認できるものも含めて、主要な機能が電動式になっており、ケース２３には、受信機と共に、この拡声装置１を動作させるための部品等が収められている。
【００１８】
受信機のうち、符号３７は戸別受信機を示し、防災行政無線の電波だけ受信する専用受信機になっている。自治体が住民に配布するものが想定されている。
この戸別受信機３７は電源供給を受ければ、独立して機能するものであり、受信機能と、放送機能を備えている。
戸別受信機３７には付属の内部アンテナが備えられているが、ケース２３に収納されているので安定した受信状態を確保するために、専用アンテナ３３（図１）のアンテナコネクタがケース２３内に引き入れられており、これにケース２３内の戸別受信機３７が接続されている。
また、戸別受信機３７の電源は通常乾電池であるが、太陽光発電を利用するので、乾電池は不要となっている。
【００１９】
受信機のうち、符号３９は防災ラジオを示す。この防災ラジオ３９は戸別受信機３７と同様な機能を備え、更に他局を選局することも可能となっている。
戸別受信機３７に代えて、防災ラジオ３９をケース２３に収納して使用することも可能である。
自治体によって、戸別受信機を利用するところもあれば、防災ラジオを利用するところもあるが、この屋外自立型放送拡声装置１では、上記したように、いずれも音声信号の出力側として利用できる。
また、一概に戸別受信機と言っても大きさはメーカーにより多少の違いはあり、それは防災ラジオにとっても同じことが言えるが、ケース２３の収納空間は既存の各種戸別受信機や防災ラジオに対応しており、いずれも収納可能となっている。
【００２０】
上記した受信機３７、３９は、後述する電源回路から電源供給を受けている。電源回路は１．５〜９Ｖと広い範囲で可変になっており、複数の種類の受信機それぞれに対応できるようになっている。
従って、受信機３７、３９は、電源スイッチ（図示省略）をＯＦＦにしておけば、通常は無音で待機し、専用アンテナ３３から防災行政無線の電波を受信したときには、強制放送スイッチをＯＮにすることで、強制的に放送することになる。
【００２１】
以下、機能毎に分けて、部品の構成と動作を詳しく説明する。
〈バッテリー機能部：図４〉
符号４１は制御基板を示し、この制御基板４１が中心となって各機能が実現されている。
上記した太陽光パネル２９（図１）で昼間太陽光により発電された電気は蓄電用バッテリー１９に蓄電されると共に、１２Ｖ電源が形成され、その電源が制御基板４１の電源回路４３に供給され、そこから更に各部品に供給されるようになっている。
【００２２】
電源回路４３では、端子電圧の変動を監視するために、コンパレータ回路で構成した電圧監視回路４５が設けられており、１１Ｖ以下になると、バッテリー電圧低下警報ブザー４７を鳴動させる。この警報ブザー４７は、図示省略するが、制御箱７の正面側に配置されており、制御箱７を開けずとも、その鳴動は外にいる人にも聞こえるようになっている。
上記したように、独立電源で動作するよう構成しているので、電源を気にせずに任意の場所に設置できる。また、蓄電用バッテリー１９を利用しているので、夜間でも後述する放送機能が働く。
【００２３】
〈拡声放送部：図５〉
[防災行政無線放送]
受信機３７、３９から出力された音声信号は音声信号ライン４９に流されて、外部拡声増幅器（ＡＭＰ）２５（図５）に向けてスルー出力される。
この音声信号ライン４９から分岐されて、音声検知信号ライン５１が延びており、この音声検知信号ライン５１に音声信号検知回路５３が介装されている。
この音声信号検知回路５３も上記した電源回路４３から電源供給を受けている。
音声信号検知回路５３では、図６に示すように、音声検知信号ライン５１から出力された音声検知信号が、先ず、全波整流回路５３Ａで整流され、ローパスフィルタ５３Ｂで所定以上の周波数成分が除去される。そして、入力電圧調整回路５３Ｃによって電圧が、例えば１〜２０倍で調整される。
【００２４】
その上で、主検知回路に入力する。主検知回路は、二つの分岐ライン５５、６５に分かれており、一方の分岐ライン５５からは、音声信号の出力を検知するＯＮ検知回路５７に信号入力される。このＯＮ検知回路５７はコンパレータを備え、設定された受信機ＯＮ電圧レベルを超えるとＯＮ信号を生成して出力する。このＯＮ信号は、ＲＳラッチ回路５９を介し、駆動信号としてスイッチング回路（パワーハイサイド回路）６１に供給され、電源回路４３から外部拡声増幅器（ＡＭＰ）２５に至る電源供給ライン６３を開通させるので、外部拡声増幅器（ＡＭＰ）２５が駆動する。
【００２５】
他方の分岐ライン６５からは、音声信号の出力終了を検知するＯＦＦ検知回路６７に信号入力される。このＯＦＦ検知回路６７はコンパレータとコンデンサを備え、設定された受信機ＯＦＦ電圧レベルを超えるとＯＦＦ信号を生成して出力する。
このＯＦＦ信号も、ＯＮ信号と同様に、ＲＳラッチ回路５９に入力される。ＯＮ信号が入力されると、ＲＳラッチ回路５９は電気的に保持し、外部拡声増幅器（ＡＭＰ）２５を駆動させ続けるが、このＯＦＦ信号が入力されると、自己保持状態を解除する。従って、ＲＳラッチ回路５９からは制御信号が出力されず、スイッチング回路６１が電源供給ライン６３を遮断するので、外部拡声増幅器（ＡＭＰ）２５が停止する。
【００２６】
符号６９はタイマー回路を示し、このタイマー回路６９は、コンデンサと抵抗による時定数をタイマーの時間としており、５〜１５ｓｅｃで調整可能となっている。タイマー回路６９は、トリガ信号が入力されると、カウントを開始し、設定時間を超えると信号を出力する。
このタイマー回路６９は、上記した音声検知信号ライン５１に介装されており、ＯＦＦ信号をトリガとしている。このタイマー回路６９の介装により、放送中に音声が途切れる場合であっても、ＯＮ／ＯＦＦ動作しないので、回路へ負担が掛からないようになっている。
なお、リセット信号ライン７１がタイマー回路６９に繋がっているので、ＯＮ信号が出力されると、リセット信号がタイマー回路６９に入力されてカウントがリセットされる。
【００２７】
上記の構成では、制御部としての制御基板４１に、音声検知回路としてＯＮ検知回路５７とＯＦＦ検知回路６７と、自己保持性の切替部としてＲＳラッチ回路５９と、リセット機能を備えたタイマー回路６９を備えさせることで、機能が実現されており、専用アンテナ３３が防災行政無線の電波の受信を開始すると、外部拡声増幅器（ＡＭＰ）２５がＯＮになり、スピーカ３５からその内容が自動的に拡声放送され、終了すれば外部拡声増幅器（ＡＭＰ）２５はＯＦＦになる。
【００２８】
上記では、ＯＮ検知回路５７等の回路でＯＮ／ＯＦＦ制御部７３が構成されているが、各種回路を組み込む代わりに、このＯＮ／ＯＦＦ制御部７３を基板にマイクロコンピュータ（ＰＩＣ）を搭載して構成することも可能である。
マイクロコンピュータ（ＰＩＣ）を利用したときには、タイマー時間を変更する等設定を変更する場合には、新たなプログラムをマイクロコンピュータに焼く作業が必要になるが、回路を組み直す作業に比較して作業が楽である点が利点である。
【００２９】
なお、放送用にはハンドマイク２７も接続されているが、このハンドマイク２７を防災行政無線の音声放送とは独立して使用できるよう、外部拡声増幅器（ＡＭＰ）２５を強制的にＯＮするＡＭＰ強制駆動スイッチ７５が設けられている。このスイッチ７５は手動操作式であり、ハンドマイク２７を使用する際には一旦押下されたらＯＮ状態が続くようになっている。
【００３０】
また、音声信号ライン４９と外部拡声増幅器（ＡＭＰ）２５との間には、音量調整部７７が介装されている。
戸別受信機３７も防災ラジオ３９も、いずれも、電源がＯＦＦの状態でも、また、防災ラジオ３９の場合には他局を選局中でも、緊急情報を受信すると自動的に最大音量で放送する点は共通する。
【００３１】
但し、戸別受信機３７と防災ラジオ３９とは出力端子の仕様の違いから音声電圧が異なり、さらに、戸別受信機３７に分類されるものどうしでも、製造元により、最大音量に対応する電圧がまちまちである。これは防災ラジオ３９についても言えることである。更に、防災行政無線放送は、役場や消防署に設置されたセンターを介して流すが、センターでは、音量を調整することができ、放送の内容も、上記したように、夕方に児童の帰宅を促すもの等も含まれるので、放送内容によって積極的に音量を変えている場合が多い。そのため、待機状態では音声電圧の設定がまちまちになっており、担当者も把握し得ていないのが実情である。
【００３２】
従って、現場で設置工事を行い、受信機３７、３９からの音声信号をスルー出力させるだけでは、受信機３７、３９側の種々の音声電圧に基づく音声信号が外部拡声増幅器（ＡＭＰ）２５に送出されることになるので、音割れや、逆に音漏れが発生する。
そのため、音量調整部７７を設けて、受信機３７、３９側の音声電圧を意識せずとも、自動的に音声電圧が調整された音声信号が外部拡声増幅器（ＡＭＰ）２５に送出されるように工夫されている。
【００３３】
音量調整部７７は、まず、音声信号が固定分圧器７９に入力される。固定分圧器７９では、直列に接続された抵抗Ｒ１と抵抗Ｒ２（Ｒ１＞Ｒ２）の２個の抵抗で音声電圧が所定の分圧比で分圧され、その中間にある分圧点の電圧値を出力値としている。
そして、抵抗によって分圧された音声信号を安定化させるために、絶縁トランス８１を介して、可変分圧器８３側と接続されている。
可変分圧器８３はボリューム（ＶＲ）によって構成されており、手動による微妙な調整が可能となっている。なお、インピーダンスは、ダイナミックマイクを利用した入力に対応して、６００Ωに設定されている。  
【００３４】
戸別受信機３７の出力インピーダンスは４〜１６Ω、防災ラジオ３９の出力インピーダンスは２ｋΩ以上とかなりの差があるが、どちらのタイプの受信機が収納されているかを意識せずに使用しても、また、センターで音量調整がなされていても、上記した音量調整部７７を通すことで、音割れの発生が阻止されている。戸別受信機３７の音声電圧レベルであれば固定分圧器７９で主に調整されるが、音声電圧の高い防災ラジオ３９の場合には、ボリューム（ＶＲ）の利用により最終的にアンプ入力に適した電圧まで落とされることになる。
ボリューム（ＶＲ）を微妙に絞ることにより、音割れせず且つ音漏れしない適正範囲に設定することができる。
【００３５】
上記構成により、屋内用の受信機３７、３９のどれを選んでも、ポール５等の設置工事をし、さらに、選んだ受信機をケース２３に収納して配線工事をするだけで、屋外自立型放送拡声装置１を構築でき、しかも、独立電源なので、設置場所を問わない。
また、受信機３７、３９は施錠した制御箱７に収納されているので、盗難の恐れは無い。
従って、防災行政無線の基地局として利便性が高いものとなっている。
【００３６】
以上、本発明の実施の形態について詳述してきたが、具体的構成は、この実施の形態に限られるものではなく、本発明の要旨を逸脱しない範囲における設計の変更などがあっても発明に含まれる。
例えば、受信機は無音待機できるものであればよく、例えば、スマートフォン、例えばアップルインコーポレイテッド社製アイフォン（ｉｐｈｏｎｅ）（登録商標）に専用アプリをインストールさせて、Ｗｉ‐Ｆｉを利用して特定の放送電波だけを受信させるように構成することも考えられる。
【符号の説明】
【００３７】
１…屋外自立型放送拡声装置
３…ベース部              ５…ポール            ７…制御箱
９…収容部              １１…扉              １３…ドアハンドル
１５…鍵穴                １７…ロック機構      １９…蓄電用バッテリー
２１…チャージコントローラ                      ２３…ケース
２５…外部拡声増幅器（ＡＭＰ）                  ２７…ハンドマイク
２９…太陽光パネル        ３１…鳥よけ          ３３…専用アンテナ
３５…スピーカ            ３７…戸別受信機      ３９…防災ラジオ
４１…制御基板            ４３…電源回路        ４５…電圧監視回路
４７…警報ブザー          ４９…音声信号ライン  ５１…音声検知信号ライン
５３…音声信号検知回路    ５３Ａ…全波整流回路  ５３Ｂ…ローパスフィルタ
５３Ｃ…入力電圧調整回路  ５５…分岐ライン      ５７…ＯＮ検知回路
５９…ＲＳラッチ回路      ６１…スイッチング回路
６３…電源供給ライン      ６５…分岐ライン      ６７…ＯＦＦ検知回路
６９…タイマー回路        ７１…リセット信号ライン
７３…ＯＮ／ＯＦＦ制御部  ７５…ＡＭＰ強制駆動スイッチ
７７…音量調整部          ７９…固定分圧器      ８１…絶縁トランス
８３…可変分圧器（ボリューム）
【図１】
2017130774.tif 000003
【図２】
2017130774.tif 000004
【図３】
2017130774.tif 000005
【図４】
2017130774.tif 000006
【図５】
2017130774.tif 000007
【図６】
2017130774.tif 000008
【図７】
2017130774.tif 000009